(57)【要約】【課題】電池の消耗状態や、温度等による電池内部抵抗の変化に対応した、過電流を起こす事の無い、適正な駆動パルスによる駆動を行なうことのできる電子閃光装置を提供する。【解決手段】主コンデンサと他励式ＤＣ／ＤＣコンバータと電池電圧を無負荷と負荷を加えたときの電池電圧を検出する電池電圧検出回路を有する電子閃光装置において、主コンデンサを充電するＤＣ／ＤＣコンバータの作動時直前の電池電圧検出回路により検出される電池の状況によりパルス幅を決定する制御回路およびパルス制御回路を有する。【選択図】図１
2004006083.tif 000002
【特許請求の範囲】
【請求項１】
主コンデンサと、他励式ＤＣ／ＤＣコンバータと、電池電圧を無負荷状態および所定負荷を加えた状態における電池電圧を検出する電池電圧検出回路とを有する電子閃光装置において、
前記、主コンデンサを充電するＤＣ／ＤＣコンバータの作動時直前の電池電圧検出回路により検出される電池電圧に基づいてパルス幅を決定する制御回路及びパルス制御回路を有することを特徴とする電子閃光装置。
【請求項２】
前記所定負荷は所定電流であることを特徴とする請求項１に記載の電子閃光装置。
【請求項３】
前記所定負荷は電気抵抗であることを特徴とする請求項１に記載の電子閃光装置。
【請求項４】
前記パルス幅は電池電圧及び電池内部抵抗に基づいて前記制御回路において演算され決定されることを特徴とする請求項１に記載の電子閃光装置。
【請求項５】
主コンデンサと、他励式ＤＣ／ＤＣコンバータと、電池電圧を無負荷状態および所定負荷を加えた状態における電池電圧を検出する電池電圧検出回路と、電池電圧が所定電圧以下となったことを検出する電池電圧低下検出回路とを有する電子閃光装置に於いて、
主コンデンサを充電するＤＣ／ＤＣコンバータの、作動時直前の電池電圧検出回路により検出された電池電圧に基づいて、決定したパルス幅での駆動時に、前記電池電圧低下検出回路が所定電圧以下の電池電圧を検出したら、一時的に発振を停止する回路を含むことを特徴とする電子閃光装置。
【発明の詳細な説明】
【０００１】
【発明の属する技術分野】
本発明は、電子閃光装置に関するものである。
【０００２】
【従来の技術】
従来、例えば特開平７−８５９８８号公報では、演算手段が他励式ストロボ充電回路の１次側に所定時間駆動した時及び、充電中の電池電圧と、２次側メインコンデンサの充電初期及び充電中の充電電圧を入力値として、パルス幅変換手段が上記演算手段の推論結果に応じてＰＷＭのパルス幅及びデューティー比を少なくとも段階的に或いは連続的に切換える。そして、ストロボの充電手段は上記パルス幅変換手段からのＰＷＭ出力信号に応じてメインコンデンサの充電を行っていた。
【０００３】
【発明が解決しようとする課題】
しかしながら、上記従来例では電池に負荷をかけた時の電池電圧のみの検出結果からＰＷＭのパルス幅及びデューティー比を決めていた。そのため、所定時間駆動した時及び、充電中の一次電流が不明である。その結果、ＰＷＭ駆動パルスが適正に設定されず、一次電流の過電流を起こす可能性があった。
【０００４】
本発明はこのような問題点に鑑みなされたもので、電池の消耗状態や、温度等による電池内部抵抗の変化に対応した、過電流を起こす事の無い、適正な駆動パルスによる駆動を行なうことのできる電子閃光装置を提供することを目的とするものである。
【０００５】
【課題を解決するための手段】
上記の目的を達成するために、本発明は、主コンデンサと、他励式ＤＣ／ＤＣコンバータと、電池電圧を無負荷状態および所定負荷を加えた状態における電池電圧を検出する電池電圧検出回路とを有する電子閃光装置において、主コンデンサを充電するＤＣ／ＤＣコンバータの作動時直前の電池電圧検出回路により検出される電池電圧に基づいてパルス幅を決定する制御回路及びパルス制御回路を有する構成としている。
【０００６】
【発明の実施の形態】
（第１実施形態）
図１に本発明の一実施形態である電子閃光装置の回路図を示す。
【０００７】
図１を用いて電子閃光装置の回路構成を説明する。（１０１）は電源であるところの電池、（１０１ａ）は電池内部抵抗、（１０２）はシャッターコイル、（１０３）はトランジスタでシャッターコイル（１０２）を駆動する。（１０４）は抵抗でシャッターコイル（１０２）の定電流駆動を行なう際に電流検出を行なう、（１０５）は制御ＩＣで、カメラの測光、測距、レンズ駆動、フィルム給送等のカメラシーケンス及び本発明に付随するストロボ閃光装置の制御を行なう、（１０５ａ）はマイコンで、制御ＩＣ内の記憶手段ＲＡＭを有しカメラシーケンスの制御を行なう、（１０５ｂ）は定電流回路で、シャッターコイル（１０２）にトランジスタ（１０３）により定電流駆動の制御を行なう、（１０５ｃ）はＤ／Ａで、マイコン（１０５ａ）の設定信号により、任意の電圧を出力する、（１０５ｄ）はＡ／Ｄで、入力された電圧を、デジタル化する、（１０５ｅ）はコンパレータで、電池電圧がＤ／Ａ（１０５ｃ）で設定された電圧より高いか低いかの判定を行なう、（１０５ｆ）は抵抗で、コンパレータの出力をプルアップしている。（１０６）はトランスで、一次巻線、電池負極のループで電流を流すことによりエネルギーをコアに蓄積しそのエネルギーで逆起電力を発生させる、（１０７）はＦＥＴで、トランス（１０６）の一次巻線の電流を駆動する。（１０９）は主コンデンサで、電荷を蓄積する、（１０８）は、高圧整流ダイオードでアノードはトランス（１０６）の二次巻線の巻き終わり接続されカソードは主コンデンサ（１０９）の陽極に接続されている。（１２０）はダイオードで、アノードを主コンデンサ（１０９）の陰極、カソードがトランス（１０６）二次巻線の片側に接続され、トランス（１０６）の二次巻線より発生した逆起電力を主コンデンサに蓄積する電荷を電流ループを、高圧整流ダイオードを含めた構成で形成する。（１２１）は抵抗で片側をダイオード（１２０）のカソード、もう片側を制御ＩＣ（１０５）に接続されている。（１２２）は抵抗で、抵抗（１２１）が接続される制御ＩＣ（１０５）の入力をプルアップしている。（１１０）は、トリガ回路で、（１１１）は放電管で、トリガ回路（１１０）よりトリガ電圧を受け、主コンデンサに蓄積された電荷により発光する。（１１２）は充電電圧検出回路で、制御ＩＣ（１０５）内Ａ／Ｄ（１０５ａ）に接続され主コンデンサ（１０９）に蓄積された電圧を検出する。
【０００８】
（１１３）は測光手段としての測光部で、被写体輝度を検出する、（１１４）は測距手段としての測距部で、被写体までの距離を検出する、（１１５）はレンズ駆動手段としてのレンズ駆動部で、測距部（１１４）からの検出結果をもとに撮影レンズの駆動を行ないフィルム面に被写体ピントを合わせる、（１１６）はフィルム給送手段としてのフィルム給送部で、フィルムのオートローディング、巻き上げ、巻戻しを行なう、（１１７）は、カメラを撮影準備状態にするＭＡＩＮＳＷ（１１７）はＳＷ１で、シャッター釦の第１ストロークでカメラ内の電気回路を起動させ測光、及び測距等の検出を行なう、（１１９）はＳＷ２で、シャッター釦の第２ストロークで、前記ＳＷ１以後の撮影シーケンスの起動信号となる。
【０００９】
ここで、本発明の昇圧回路の回路動作について説明する。
【００１０】
まず、図３の、タイミングチャートの信号の説明をする。ＦＥＴＧＡＴＥは回路上ｃのゲート入力信号を示す、一次電流はトランス（６）の一次巻線に流れる回路上ｄの位置の電流を示す、二次電流はトランス（６）の二次巻線に流れる回路上ｅの位置の電流を示す、二次入力は、回路上ｆで二次電流が流れているときをローレベルとする制御ＩＣ（１０５）への入力信号を示す。
【００１１】
次に回路動作を説明する。制御ＩＣ（１０５）から接続端子（ｃ）を介してＦＥＴ（１０７）のゲートに所定の発振信号（図３（ａ）ＦＥＴＧＡＴＥ▲１▼のタイミング）　を与える。この為ＦＥＴ（１０７）の制御電極にハイレベルの信号が与えられることでドレイン＝ソース、トランス（１０６）一次巻線、電池負極のループで電流が流れる。この為、トランス（１０６）の二次巻線には誘導起電力が発生するがこの電流の極性は高圧整流用ダイオード（１０８）によりブロックされる極性となるためトランス（１０６）からは励起電流が流れずエネルギーがトランス（１０６）内コアに蓄積される。このエネルギー蓄積（電流駆動）は、電流がおおよその所定電流に達するまでの所定時間駆動され、所定時間に達したら電流駆動を停止する。ここで所定時間駆動を行ったら、端子（ｃ）をローレベルとしてＦＥＴ（１０７）をオフ（図３（ａ）ＦＥＴＧＡＴＥ▲２▼のタイミング）として電流を遮断して非導通とする。これによりトランス（１０６）の二次巻線には逆起電力が発生するこの逆起電力は図３、二次電流ｅの波形のように、整流ダイオード（１０８）、主コンデンサ（１０９）、ダイオード（１２０）のループで流れ主コンデンサ（１０９）に電荷が蓄積される。トランス内のエネルギーが放出され、二次の電流が分流されてローレベルとなっていたｆが、二次電流が停止した時点で二次入力の信号は、ローレベルからハイレベルに反転し、この二次入力信号がローレベルからハイレベルに反転したことを受けて、再び端子（ｃ）よりハイレベル信号が発生させ、同様に再びＦＥＴ（１０７）、導通（図３（ａ）ＦＥＴＧＡＴＥ▲３▼のタイミング）してトランス（１０６）にエネルギーを蓄積し、また、ローレベル信号によりＦＥＴ（１０７）非導通となりトランス（１０６）の蓄積エネルギーが放出され電荷が主コンデンサ（１０９）に充電される。この動作を繰り返すこと（図３ｂ）で主コンデンサ（１０９）の電圧は上昇する。このような充電回路は、一般的にフライバック方式の充電回路と呼ばれている。
【００１２】
以下、前記図１の昇圧回路の構成で図４及び図５のフローチャートをもとに本発明の特徴を説明する。
【００１３】
まず、図４にてＭＡＩＮＳＷ（１１７）、ＯＮ時のシーケンスを説明する。
ステップ（Ｓ１０１）でＭＡＩＮＳＷ（１１７）がＯＮしたか否かの検出を行なう、ここでＭＡＩＮＳＷ（１１７）のＯＮを検出したらステップ（Ｓ１０２）カメラの電池電圧がカメラ動作が可能であるか否かを検出するための、バッテリーチェック（以後、ＢＣと呼ぶ）を行なう。
【００１４】
ＢＣは、前述した通り、図２のタイミングチャートＡ／Ｄの▲１▼のとき制御ＩＣ（１０５）内Ａ／Ｄ（１０５ｃ）にて無負荷状態における電池電圧の検出を行ない、その電池電圧の検出結果を、制御ＩＣ（１０５）内マイコン（１０５ａ）に有するＲＡＭに記憶する、次に、制御ＩＣ（１０５）内マイコン（１０５ａ）からの駆動信号を受け定電流回路（１０５ｂ）の（ｇ）信号により、所定時間のシャッターコイル（１０２）に、所定電流の定電流駆動を行なう、この定電流駆動は、不図示のシャッターが閉じる方向に電流駆動される。そして、定電流駆動開始より所定時間経過したタイミング▲２▼で、制御ＩＣ（１０５）内Ａ／Ｄ（１０５ｄ）にて電池電圧の検出を行ない、その電池電圧の検出結果を、制御ＩＣ（１０５）内マイコン（１０５ａ）に有するＲＡＮに記憶する。
【００１５】
次にステップ（Ｓ１１４）でステップ（Ｓ１０２）にて行ない、ＲＡＭに記憶しているＢＣ結果からカメラが動作可能な電圧であるか否かの判定を行ない、動作可能電圧であったらステップ（Ｓ１０３）に、動作が不可能な電圧であったらステップ（Ｓ１０１）に進む。次に、ステップ（Ｓ１０３）の被写体輝度検出の測光部（１１４）による測光を行ない制御ＩＣ（１０５）内ＲＡＭに測光結果を記憶する。次にステップ（Ｓ１０４）でステップ（Ｓ１０３）にて制御ＩＣ（１０５）内ＲＡＭの測光検出結果が撮影に際してストロボ発光を必要とする測光結果であるか否かを被写体輝度情報から判定する。ここで、ストロボ発光を必要としない輝度でストロボ予備充電を必要としない場合には、ＭＡＩＮＳＷオンシーケンスを終了する。ステップ（Ｓ１０４）にてストロボが必要な輝度でストロボ予備充電が必要あったら、ステップ（Ｓ１０５）に進みストロボ充電を行なう際の駆動パルス幅の設定を行なう。
【００１６】
ここで所定時間＝パルス幅の算出方法を説明する。
【００１７】
この所定時間＝パルス幅は、電池の内部抵抗及び電池切片及び配線抵抗を含む回路抵抗を検出し、その結果をもとに算出する。算出は、下記の通りである。
【００１８】
まず、既にステップ（Ｓ１０２）ＢＣにてマイコン（１０５ａ）内ＲＡＭに記憶済みである、ＢＣの検出結果を読み出す
開放時の電池電圧
一定電流の負荷をかけた時の電池電圧
をそれぞれ読み出す。
この読み出した結果をもとに、電池の内部抵抗、電池切片の接触抵抗を含む回路抵抗を算出する。
Ｖｏ　：電池開放電圧
Ｖｃ　：電池負荷時電圧
ＩＢＣ：ＢＣ負荷電流
Ｒ　　：回路抵抗
として
Ｒ＝（Ｖｏ−Ｖｃ）÷　ＩＢＣ
上記式にて、回路抵抗Ｒが求められる。
上記回路抵抗をもとに所定の一次巻線への通電時間を算出する。
Ｌ　　：コイルインダクタンス
Ｉｐ　：一次コイルピーク電流
Ｅ　　：電池電圧
Ｔｏｎ：所定通電時間
として
Ｔｏｎ＝−Ｌ÷Ｒ×ｌｎ（１−Ｒ×Ｉｐ÷Ｅ）
上記式にて、一次巻線への所定のパルス幅Ｔｏｎが求められる。
【００１９】
ただし、上記駆動時間は、ＢＣ時に対しての適正なパルス幅であるが、電池の状態は充電の開始時に対して充電完了前では電池の電池電圧は低下している、よって、充電の全域（充電終了を主とする）で適正なパルス幅は、上記求めたパルス幅に対して係数、例えば算出されたパルス幅の６０〜９０％として設定する。
【００２０】
次に、ステップ（Ｓ１０６）にて回路動作で説明した制御ＩＣ（１０５）内マイコン（１０５ａ）より、ＦＥＴ（１０７）に前記求めたパルス幅の駆動信号を出力し充電を開始する。次に、ステップ（Ｓ１０７）でストロボ充電中に電池電圧が所定電圧まで低下していないかの検出を制御ＩＣ（１０５）内コンパレータ（１０５ｅ）にてを行なう。
【００２１】
ここで電池電圧が所定電圧以上であったらステップ（Ｓ１０８）に進み、　制御ＩＣ（１０５）内のＡ／Ｄ（１０５ｄ）に充電電圧検出回路１１２を介した電圧により充電電圧の検出を行ない、ストロボ充電完了電圧を検出するまで充電を続けて、充電完了電圧を検出したらステップ（Ｓ１０８）に進み充電信号を充電停止として充電を停止して、一連のＭＡＩＮＳＷオンシーケンスを終了する。
【００２２】
また、ステップ（Ｓ１０７）にてコンパレータ（１０５ｅ）により、電池電圧が所定電圧より低い電圧を検出したら一次巻線への駆動を一時的に停止する。ここでの電池電圧の低下の状態及び駆動信号を図７に示す。一次電流駆動中に制御ＩＣ（１０５）内コンパレータ（１０５ｅ）のＤ／Ａ（１０５ｄ）により設定された所定電圧に対して、Ｖｂａｔが低下した状態（▲４▼のタイミング）で、コンパレータ（１０５ｅ）の電池電圧低下の検出信号マイコン（１０５ａ）を受けて、マイコン（１０５ａ）からの駆動信号を一時的に停止する。
【００２３】
次にステップ（Ｓ１１１）パルス幅の再設定が既に行われていたかの判定をマイコン（１０５ａ）内ＲＡＭに記憶している再設定フラグから行なう、ここで既に一度再設定済みであったら何か回路上のトラブルが予想されるので、ステップ（Ｓ１１２）にて充電を停止して、充電ＮＧフラグをマイコン（１０５ａ）内ＲＡＭに記憶して一連のシーケンスを終える。また、ステップ（Ｓ１１１）にてパルス幅再設定が行われていなかったら、ステップ（Ｓ１１０）に進みパルス幅の再設定を行なう。このパルス幅の再設定は、ステップ（Ｓ１０５）にて設定したパルス幅より短いパルス幅であり、例えば、ステップ（Ｓ１０５）で設定したパルス幅の６０〜９０％にする。或いは、再度ステップ（Ｓ１０５）と同様に、本ステップにて再度ＢＣを行ないパルス幅を再算出しても良い。また、ここでパルス幅の再設定を行ったらマイコン（１０５ａ）内ＲＡＭに記憶する。次に、ステップ（Ｓ１１０）にてパルス幅の再設定終了後、ステップ（Ｓ１０７）に進み電池電圧が所定電圧以上となったら、ステップ（Ｓ１０８）のストロボ充電完了検出するまでストロボ充電を継続し充電完了を検出したら充電を停止して、一連のシーケンスを終了する。
【００２４】
次に、図５にてレリーズシーケンスの説明をする。ステップ（Ｓ２０１）でレリーズＳＷの第１ストロークであるＳＷ１（１０９）がＯＮされたか否かの検出を行なう、次にステップ（Ｓ２０２）でＳＷ１（１１８）を検出したら、ステップ（Ｓ２０２）にてステップ（Ｓ１０２）と同様にカメラの電池電圧がカメラ動作が可能であるか否かを検出するための、バッテリーチェック（以後ＢＣ）を行ない。その電池電圧の検出結果を、マイコン（１０５ａ）内ＲＡＮに記憶する。次にステップ（Ｓ２３１）でステップ（Ｓ２０２）にて行ない、ＲＡＭに記憶しているＢＣ結果からカメラが動作可能な電圧であるか否かの判定を行ない、動作可能電圧であったらステップ（Ｓ２０３）に、動作が不可能な電圧であったらステップ（Ｓ２０１）に進む。
【００２５】
次に、ステップ（Ｓ２０３）で測距部（１１４）により被写体までの距離を検出し制御ＩＣ（１０５）内ＲＡＭ（１０５ａ）に測距結果を記憶する、次にステップ（Ｓ２０４）被写体輝度の検出を行なう測光部（１１３）による測光を行ない測距と同様に制御ＩＣ（１０５）内ＲＡＭ（１０５ａ）に測光結果を記憶する、次にステップ（Ｓ２０５）にてステップ（Ｓ２０４）で検出してマイコン（１０５ａ）内ＲＡＭ（１０５ａ）に記憶している測光データをもとにストロボ充電が必要であるか否かの判定を行なう。
【００２６】
このストロボの発光が必要な場合としては、撮影状況が暗い、或いは逆光等が有る。ここでストロボ発光が必要であったらステップ（Ｓ２０６）に、必要なかったら（Ｓ２１６）に進みＳＷ２（１１９）のＯＮの待機状態になる、ステップ（Ｓ２０５）にてストロボ充電が必要でステップ（Ｓ２３０）に進んだら、主コンデンサの充電電圧が完了状態にあるか否かを判定する。ステップ（Ｓ２３０）にて充電完了をしていたら（Ｓ２１６）に進みＳＷ２（１１２）のＯＮの待機状態になる。ここで充電完了をしていなかったら、ステップ（Ｓ２０６）に進み充電を行なう際のパルス幅設定を行なう。ここでのシーケンス、ステップ（Ｓ２０６）〜ステップ（Ｓ２１４）は、前述の図４のフローチャートステップ（Ｓ１０５）〜ステップ（Ｓ１１３）と同様のシーケンスなので、説明を省略する。ここで充電のシーケンスが終了すると、ステップ（Ｓ２１６）のＳＷ２（１１９）のＯＮの待機状態になる。ステップ（Ｓ２１６）でＳＷ２（１１９）のＯＮを検出したらステップ（Ｓ２１７）に進み、ステップ（Ｓ２０３）において行なった測距のマイコン（１０５ａ）内ＲＡＭに記憶している測距データに従い、レンズ駆動部（１１５）により撮影レンズの駆動制御を行なう。
【００２７】
次に、ステップ（Ｓ２１８）に進みステップ（Ｓ２０４）にて行なった測光のマイコン（１０５ａ）内ＲＡＭに記憶している測光データに従い、ストロボ発光が必要であったら制御ＩＣ（１０５）からのトリガ信号をトリガ回路（１１０）が発光信号を出力し、ストロボ発光を行なうとともに、シャッターコイル（１０２）、トランジスタ（１０３）。電流検出を行なう抵抗（１０４）、で構成される、シャッター駆動手段によるシャッター駆動制御を行なう、次にステップ（Ｓ２１９）でフィルム駆動手段（１１６）により次の撮影駒へのフィルム給送制御を行ない、次にステップ（Ｓ２２０）にてストロボ予備充電を行なうか否かの判定を行なう、ここでストロボ予備充電を行なわない場合は、ステップ（Ｓ２０４）にて行なった測光結果をもとにステップ（Ｓ２０５）にて判定した結果がストロボ発光撮影モードがストロボ発光撮影モードで無い場合である。また、ストロボ予備充電を行なう場合は、ステップ（Ｓ２０４）にて行なった測光結果をもとにステップ（Ｓ２０５）にて判定した結果がストロボ発光撮影モードがストロボ発光撮影モードであった場合である。
【００２８】
ここで、ステップ（Ｓ２２０）の結果がストロボ予備充電を行なわない場合は、そのままカメラシーケンスを終える。ステップ（Ｓ２２０）の結果がストロボ予備充電を行なう場合には、ステップ（Ｓ２２１）に進む。ステップ（Ｓ２１１）〜ステップ（Ｓ２２９）のシーケンスは、前述の図４のステップ（Ｓ１０５）〜ステップ（Ｓ１１３）と同様なので説明を省略する。
（第２実施形態）
第６図に第２実施形態の回路図を示す。
【００２９】
第１実施形態において回路抵抗は、シャッターコイル（１０２）にシャッターが閉じる方向に所定電流を流し、回路抵抗を求めていた。しかしながら、シャッターの駆動が閉じ駆動が出来ない或いは、定電流駆動手段を持たない回路構成物考えられる、よって本実施形態は、図４のステップ（Ｓ１０３）、図５ステップ（Ｓ２０２）のＢＣ時に求める回路抵抗を異なる負荷から求める。
【００３０】
（１０１）〜（１２２）は、前記第１実施形態と同じであるので省略する。
【００３１】
（１２３）は抵抗で、片側を電池（１０１）の陽極と接続されている。（１２４）はＦＥＴで、ドレインは抵抗（１２３）の片側と接続され、ソースは電池（１０１）の陰極と接続されている。
【００３２】
回路抵抗は、次のように求める。ＦＥＴ（１２４）のゲートに駆動信号をマイコン（１０５ａ）より出力する。これによりＦＥＴ（１２４）のドレイン−ソース間は、ほぼショート状態になる。よって、回路抵抗と抵抗（１２３）が分圧される。この分圧された電池電圧から、回路抵抗を算出する。算出する式は、下記の通りである。
Ｖｏ　：電池開放電圧
Ｖｃ　：電池負荷時分圧電圧（ＦＥＴ（１２４）ＯＮ時）
Ｒｃ　：分圧抵抗（１２３）
Ｒ　　：回路抵抗
として
Ｒ＝Ｖｏ／Ｒｃ÷Ｖｃ−Ｒｃ
にて回路抵抗Ｒは求められる。
【００３３】
作動シーケンスは、前記、実施形態１と同様であるので省略する。
【００３４】
【発明の効果】
本発明は、主コンデンサと他励式ＤＣ／ＤＣコンバータと電池電圧を無負荷と負荷を加えた時の電池電圧を検出する電池電圧検出回路を有する電子閃光装置において、主コンデンサを充電するＤＣ／ＤＣコンバータの作動時直前の電池電圧検出回路により検出される電池の状況によりパルス幅を決定するようにしたことにより、電池の状態に適した電流駆動をすることが出来る。
【図面の簡単な説明】
【図１】本発明の電子閃光装置のカメラのブロック図を含む第１の回路図を示す。
【図２】本発明のバッテリーチェックの波形。
【図３】本発明の各信号の昇圧時の波形１。
【図４】本発明のカメラ動作のフローチャート１。
【図５】本発明のカメラ動作のフローチャート２。
【図６】本発明の電子閃光装置のカメラのブロック図を含む第２の回路図を示す。
【図７】本発明の各信号の昇圧時の波形２。
【符号の説明】
１０１　電源電池
１０６　発振トランス
１０９　主コンデンサ
１１２　電圧検出回路
１１１　放電管
【図１】
2004006083.tif 000003
【図２】
2004006083.tif 000004
【図３】
2004006083.tif 000005
【図４】
2004006083.tif 000006
【図５】
2004006083.tif 000007
【図６】
2004006083.tif 000008
【図７】
2004006083.tif 000009